(57)【要約】【課題】地中に埋設された被覆鋼管の各測定位置における管対地電位を、各測定位置に行かずに連続的に推定して電気防食の状態を短時間で確実に評価する。【解決手段】外部防食電源４に対して最近接の測定点Ｐ１から最遠方にある測定点Ｐｎの間に設定された測定点Ｐｉ毎の管対地電位を一定時間測定して記憶し、測定点Ｐｎで測定した管対地電位Ｖｐｎと同時に測定した測定点Ｐｉ毎の管対地電位Ｖｐｉとの回帰分析を行い、測定した管対地電位Ｖｐｎを基準にした管対地電位Ｖｐｉの回帰式を作成する。作成した各回帰式と、測定点Ｐ１における初期管対地電位Ｖｐ１及び測定点Ｐ１，Ｐｎで測定する管対地電位Ｖｓｐ１、Ｖｓｐｎとにより各測定点Ｐｉの管対地電位Ｖｓｐｉの演算式を作成し、一定期間毎に測定点Ｐ１，Ｐｎで測定した管対地電位Ｖｓｐ１、Ｖｓｐｎにより、測定点Ｐｉ毎の管対地電位Ｖｓｐｉを推定する。【選択図】    図１
2006249474.tif 000002
【特許請求の範囲】
【請求項１】
管対地電位推定装置と、外部防食電源に対して最近接の測定点Ｐ１と最遠方の測定点Ｐｎで管対地電位を測定する電位検出手段及び記録装置とを有し、
前記記録装置は、外部防食電源に対して最近接の測定点Ｐ１から最遠方にある測定点Ｐｎの間に設定された測定点Ｐｉ｛ｉ＝２〜（ｎ−１）｝毎の管対地電位をあらかじめ定めた一定時間測定して記憶し、
前記管対地電位推定装置は、外部防食電源に対して最近接の測定点Ｐ１と最遠方の測定点Ｐｎで測定した管対地電位により、各測定点Ｐｉの管対地電位を推定するものであり、装置全体の処理を制御するデータ入力部とデータ記憶部と回帰分析部と演算式作成部と演算式記憶部及び管対地電位演算部を有し、
データ入力部は、記録装置に記憶した測定点Ｐｉ毎の管対地電位Ｖｐｉを入力するとともに、電位検出部で測定した外部防食電源に対して最近接の測定点Ｐ１と最遠方の測定点Ｐｎにおける管対地電位を入力し、
データ記憶部は入力した管対地電位を測定点毎に記憶するとともに各種データを記憶し、
回帰分析部は、最遠方の測定点Ｐｎで測定した管対地電位Ｖｐｎと同時に記録装置で測定した測定点Ｐｉ毎の管対地電位Ｖｐｉとの回帰分析を行い、測定した管対地電位Ｖｐｎを基準にした管対地電位Ｖｐｉの回帰式を作成し、
演算式作成部は、回帰分析部で作成した各回帰式と、測定点Ｐ１における基準電位である管対地電位Ｖｐ１と、測定点Ｐ１と測定点Ｐｎで測定する管対地電位Ｖｓｐ１、Ｖｓｐｎにより各測定点Ｐｉの管対地電位Ｖｓｐｉの演算式を作成し、
演算式記憶部は、作成した測定点Ｐｉ毎の管対地電位Ｖｓｐｉの演算式を記憶し、
管対地電位演算部は、記憶した管対地電位Ｖｓｐｉの演算式と、電気防食状況を評価するときに、測定点Ｐ１と測定点Ｐｎで測定した管対地電位Ｖｓｐ１、Ｖｓｐｎにより、測定点Ｐｉ毎の管対地電位Ｖｓｐｉを演算することを特徴とする防食管理装置。
【請求項２】
外部防食電源に対して最近接の測定点Ｐ１から最遠方にある測定点Ｐｎの間に設定された測定点Ｐｉ｛ｉ＝２〜（ｎ−１）｝毎の管対地電位をあらかじめ定めた一定時間測定して記憶する工程と、
最遠方の測定点Ｐｎで測定した管対地電位Ｖｐｎと同時に測定した測定点Ｐｉ毎の管対地電位Ｖｐｉとの回帰分析を行い、測定した管対地電位Ｖｐｎを基準にした管対地電位Ｖｐｉの回帰式を作成する工程と、
作成した各回帰式と、測定点Ｐ１における基準電位である管対地電位Ｖｐ１と、測定点Ｐ１と測定点Ｐｎで測定する管対地電位Ｖｓｐ１、Ｖｓｐｎにより各測定点Ｐｉの管対地電位Ｖｓｐｉの演算式を作成する工程と、
作成した管対地電位Ｖｓｐｉの演算式と、電気防食状況を評価するときに、測定点Ｐ１と測定点Ｐｎで測定した管対地電位Ｖｓｐ１、Ｖｓｐｎにより、測定点Ｐｉ毎の管対地電位Ｖｓｐｉを演算する工程とを有することを特徴とする防食管理方法。
【請求項３】
請求項２に記載の防食管理方法の処理プログラムを格納したコンピュータで読み取り可能な記憶媒体。
【発明の詳細な説明】
【技術分野】
【０００１】
この発明は、地中に埋設された被覆鋼管の電気防食を管理する防食管理装置と防食管理方法及びその処理プログラムを記憶した記憶媒体、特に管対地電位の検出の容易化に関するものである。
【背景技術】
【０００２】
地中に埋設された被覆鋼管の腐食を防止するため、外部防食電源の負側を被覆鋼管の管本体に接続し、外部防食電源の正側を地中に埋設した防食電極に接続し、防食電極から電流を送って管本体の電位を下げる電気防食法が採用されている。この電気防食状況を評価するため、例えば特許文献１に示すように、管本体の大地に設置した照合電極間の電位差である管対地電位を測定する電位判定法が広く採用されている。
【０００３】
特許文献１に示された防食管理方法は、地中に埋設された被覆鋼管に間隔を置いて、地表面で開閉可能な防食電位測定用のターミナルボックスを埋め込んで設置し、被覆鋼管の管本体に接続した電線と被覆鋼管近傍に埋め込まれた照合電極に接続した電線を各ターミナルボックス内に立ち上げて管対地電位の計測に使用している。
そして管対地電位を測定するとき、あらかじめ各ターミナルボックスの設置場所を特定した端末装置の地図情報を参考にして、電圧測定器と端末装置を各ターミナルボックスの設置位置に移動し、ターミナルボックス毎に電圧測定器で管対地電位を測定し、測定したデータを端末装置に取り込み、端末装置から通信網を介して管理者のサーバーに転送して、サーバーにデータベースとして保存している。
【特許文献１】特開２００３−１４７５５８号公報
【発明の開示】
【発明が解決しようとする課題】
【０００４】
特許文献１に示された防食管理方法は、各ターミナルボックスの設置位置に電圧測定器と端末装置を移動し、ターミナルボックス毎に管対地電位を測定しているため、測定時間が限定され、例えば２４時間の電気防食状況を把握することは困難であった。
また、各ターミナルボックスの設置位置に電圧測定器と端末装置を移動して管対地電位の測定を繰り返すため、管対地電位の測定の多くの時間を要する。
さらに、交通量の多い道路に各ターミナルボックスが設置されている場合、ターミナルボックスのマンホールを開放することができず、管対地電位の測定ができなくなってしまうという短所もある。
【０００５】
この発明は、このような短所を解消し、地中に埋設された被覆鋼管の各測定位置における管対地電位を、各測定位置に行かずに連続的に推定することができる防食管理装置と防食管理方法及びその処理プログラムを記憶した記憶媒体を提供することを目的とするものである。
【課題を解決するための手段】
【０００６】
この発明の防食管理装置は、管対地電位推定装置と、外部防食電源に対して最近接の測定点Ｐ１と最遠方の測定点Ｐｎで管対地電位を測定する電位検出手段及び記録装置とを有し、記録装置は、外部防食電源に対して最近接の測定点Ｐ１から最遠方にある測定点Ｐｎの間に設定された測定点Ｐｉ｛ｉ＝２〜（ｎ−１）｝毎の管対地電位をあらかじめ定めた一定時間測定して記憶し、管対地電位推定装置は、外部防食電源に対して最近接の測定点Ｐ１と最遠方の測定点Ｐｎで測定した管対地電位により、各測定点Ｐｉの管対地電位を推定するものであり、装置全体の処理を制御するデータ入力部とデータ記憶部と回帰分析部と演算式作成部と演算式記憶部及び管対地電位演算部を有し、データ入力部は、記録装置に記憶した測定点Ｐｉ毎の管対地電位Ｖｐｉを入力するとともに、電位検出部で測定した外部防食電源に対して最近接の測定点Ｐ１と最遠方の測定点Ｐｎにおける管対地電位を入力し、データ記憶部は入力した管対地電位を測定点毎に記憶するとともに各種データを記憶し、回帰分析部は最遠方の測定点Ｐｎで測定した管対地電位Ｖｐｎと同時に記録装置で測定した測定点Ｐｉ毎の管対地電位Ｖｐｉとの回帰分析を行い、測定した管対地電位Ｖｐｎを基準にした管対地電位Ｖｐｉの回帰式を作成し、演算式作成部は回帰分析部で作成した各回帰式と、測定点Ｐ１における基準電位である管対地電位Ｖｐ１と、測定点Ｐ１と測定点Ｐｎで測定する管対地電位Ｖｓｐ１、Ｖｓｐｎにより各測定点Ｐｉの管対地電位Ｖｓｐｉの演算式を作成し、演算式記憶部は作成した測定点Ｐｉ毎の管対地電位Ｖｓｐｉの演算式を記憶し、管対地電位演算部は記憶した管対地電位Ｖｓｐｉの演算式と、電気防食状況を評価するときに、測定点Ｐ１と測定点Ｐｎで測定した管対地電位Ｖｓｐ１、Ｖｓｐｎにより、測定点Ｐｉ毎の管対地電位Ｖｓｐｉを演算することを特徴とする。
【０００７】
この発明の防食管理方法は、外部防食電源に対して最近接の測定点Ｐ１から最遠方にある測定点Ｐｎの間に設定された測定点Ｐｉ｛ｉ＝２〜（ｎ−１）｝毎の管対地電位をあらかじめ定めた一定時間測定して記憶する工程と、最遠方の測定点Ｐｎで測定した管対地電位Ｖｐｎと同時に測定した測定点Ｐｉ毎の管対地電位Ｖｐｉとの回帰分析を行い、測定した管対地電位Ｖｐｎを基準にした管対地電位Ｖｐｉの回帰式を作成する工程と、作成した各回帰式と、測定点Ｐ１における基準電位である管対地電位Ｖｐ１と、測定点Ｐ１と測定点Ｐｎで測定する管対地電位Ｖｓｐ１、Ｖｓｐｎとにより各測定点Ｐｉの管対地電位Ｖｓｐｉの演算式を作成する工程と、作成した管対地電位Ｖｓｐｉの演算式と、電気防食状況を評価するときに、測定点Ｐ１と測定点Ｐｎで測定した管対地電位Ｖｓｐ１、Ｖｓｐｎにより、測定点Ｐｉ毎の管対地電位Ｖｓｐｉを演算する工程とを有することを特徴とする。
【０００８】
この発明の記憶媒体は、コンピュータで読み取り可能であり、前記防食管理方法の処理プログラムを格納したことを特徴とする。
【発明の効果】
【０００９】
この発明は、外部防食電源に対して最近接の測定点Ｐ１から最遠方にある測定点Ｐｎの間に設定された測定点Ｐｉ｛ｉ＝２〜（ｎ−１）｝毎の管対地電位をあらかじめ定めた一定時間測定して記憶し、最遠方の測定点Ｐｎで測定した管対地電位Ｖｐｎと同時に測定した測定点Ｐｉ毎の管対地電位Ｖｐｉとの回帰分析を行い、測定した管対地電位Ｖｐｎを基準にした管対地電位Ｖｐｉの回帰式を作成し、作成した各回帰式と、測定点Ｐ１における初期管対地電位Ｖｐ１と、測定点Ｐ１と測定点Ｐｎで測定する管対地電位Ｖｓｐ１、Ｖｓｐｎとにより各測定点Ｐｉの管対地電位Ｖｓｐｉの演算式を作成し、作成した管対地電位Ｖｓｐｉの演算式と、一定期間毎に測定点Ｐ１と測定点Ｐｎで測定した管対地電位Ｖｓｐ１、Ｖｓｐｎにより、測定点Ｐｉ毎の管対地電位Ｖｓｐｉを演算するから、地中に埋設した被覆鋼管の電気防食状況を評価するときに、外部防食電源に対して最近接の測定点Ｐ１と最遠方にある測定点Ｐｎの管対地電位を測定するだけで外部防食電源に対して最近接の測定点Ｐ１と最遠方にある測定点Ｐｎの間にある複数の計測点における管対地電位を推定することができ、電気防食の状態を短時間で確実に評価することができる。
【発明を実施するための最良の形態】
【００１０】
図１はこの発明の防食管理装置の構成を示すブロック図である。防食管理装置１は、地中２に埋設された被覆鋼管３の腐食を防止するため、外部防食電源４の負側を被覆鋼管３の管本体に接続し、外部防食電源４の正側を地中２に埋設した防食電極５に接続し、外部防食電源４から防食電極５を介して電流を送って管本体の電位を下げる電気防食の状況を評価するものである。この電気防食の状況を評価するため、地中２に埋設された被覆鋼管３の配管ラインの外部防食電源４に対して最近接の位置Ｐ１と最遠方の位置Ｐｎに測定点が設けられ、最近接の測定点Ｐ１と最遠方の測定点Ｐｎの間に間隔を置いて複数の測定点Ｐ２〜測定点Ｐ（ｎ−１）が設けられている。
【００１１】
この防食管理装置１の構成を説明するにあたり、まず、外部防食電源４に対して最近接の測定点Ｐ１と最遠方の測定点Ｐｎで測定した管対地電位により測定点Ｐ２〜測定点Ｐ（ｎ−１）の管対地電位を推定する動作原理を説明する。
【００１２】
外部防食電源４の出力が変化しない場合、外部防食電源４に対して最近接の測定点Ｐ１における管対地電位Ｖｐ１は一定であるが、外部防食電源４に対して最遠方の測定点Ｐｎにおける管対地電位Ｖｐｎは最も大きく変動する。この最遠方の測定点Ｐｎにおける管対地電位Ｖｐｎと測定点Ｐ（ｎ−１）の管対地電位Ｖｐ（ｎ−１）を同時に測定し、測定した管対地電位Ｖｐｎと管対地電位Ｖｐ（ｎ−１）の分散図は、例えば図３に示すように相関がある。そこで外部防食電源４に対して最遠方の測定点Ｐｎの管対地電位Ｖｐｎと各測定点Ｐｉ｛ｉ＝２〜（ｎ−１）｝における管対地電位Ｖｐｉを同時に測定し、測定した管対地電位Ｖｐｎを基準にした管対地電位Ｖｐｉの回帰式を下記（１）式とする。
Ｖｐｉ＝Ａｉ×Ｖｐｎ＋Ｂｉ        （１）
ここでＡｉは回帰直線の傾き、Ｂｉは回帰直線の切片である。
【００１３】
外部防食電源４の出力が変化して、外部防食電源４に対して最近接の測定点Ｐ１における管対地電位Ｖｐ１がΔＶだけ変化してＶｓｐ１になったとき、外部防食電源４に対して最遠方の測定点Ｐｎの管対地電位ＶｐｎがＶｓｐｎとなり、各測定点Ｐｉの管対地電位ＶｐｉがＶｓｐｉ、回帰直線の傾きがＡｓｉ、回帰直線の切片がＢｓｉになったとしたときの回帰式を下記（２）式とする。
Ｖｓｐｉ＝Ａｓｉ×Ｖｓｐｎ＋Ｂｓｉ        （２）
ここで回帰直線の傾きは変わらず、測定点Ｐｎと測定点Ｐｉにおける管対地電位も測定点１と同様にΔＶだけシフトしたとすると、回帰式（２）は下記（３）式で表せる。
｛Ｖｐｉ＋ΔＶ｝＝Ａｉ×（Ｖｐｎ＋ΔＶ）＋Ｂｓｉ      （３）
この（３）式と（１）式から下記（４）式が得られる。
｛Ａｉ×Ｖｐｎ＋Ｂｉ＋ΔＶ｝＝Ａｉ×（Ｖｐｎ＋ΔＶ）＋Ｂｓｉ    （４）
（４）式より、測定点Ｐ１における管対地電位Ｖｐ１がΔＶだけ変化したときの回帰直線の切片Ｂａｉは下記（５）式で表せる。
Ｂｓｉ＝Ｂｉ＋ΔＶ（１−Ａｉ）
＝Ｂｉ＋（Ｖｓｐ１−Ｖｐ１）（１−Ａｉ）      （５）
そこで最近接の測定点Ｐ１における管対地電位Ｖｐ１がＶｓｐ１に変化したときの各測定点Ｐｉの管対地電位Ｖｓｐｉは下記（６）式で表せる。
Ｖｓｐｉ＝Ａｉ×Ｖｓｐｎ＋Ｂｉ＋（Ｖｓｐ１−Ｖｐ１）（１−Ａｉ）    （６）
【００１４】
したがって測定点Ｐ１における管対地電位Ｖｐ１が所定の基準電位であるとき、外部防食電源４に対して最遠方の測定点Ｐｎの管対地電位Ｖｐｎと各測定点Ｐｉにおける管対地電位Ｖｐｉを同時に測定し、測定点Ｐｎの管対地電位Ｖｐｎを基準にして測定点Ｐｉ毎に回帰式を求め、各回帰式の傾きＡｉと切片Ｂｉと測定点Ｐ１における管対地電位Ｖｐ１をあらかじめ記憶しておくことにより測定点Ｐ１と測定点Ｐｎで管対地電位Ｖｓｐ１、Ｖｓｐｎを測定して測定点Ｐ２〜測定点Ｐ（ｎ−１）の管対地電位Ｖｓｐｉを推定することができる。
【００１５】
この防食管理装置１は、管対地電位推定装置６と、外部防食電源４に対して最近接の測定点Ｐ１で被覆鋼管３の管本体と地中２に埋設した照合電極７に接続され、測定点Ｐ１の管対地電位を測定する電位検出部８ａと、外部防食電源４に対して最遠方の測定点Ｐｎで管本体と地中２に埋設した照合電極７に接続され、測定点Ｐｎの管対地電位を測定する電位検出部８ｂと、各電位検出部８ａ，８ｂで測定した管対地電位を管対地電位推定装置６に転送する送信部９ａ，９ｂと、電位検出部１０と例えばパソコン等の端末装置１１からなる記録装置１２を有する。
【００１６】
記録装置１２は、外部防食電源４に対して最近接の測定点Ｐ１から最遠方にある測定点Ｐｎの間の路面等に設定され、管対地電位を常時測定する計測装置を設置するのに困難な測定点Ｐｉ｛ｉ＝２〜（ｎ−１）｝毎の管対地電位をあらかじめ定めた一定時間、例えば１０分間測定し、測定した管対地電位を記憶する。
【００１７】
管対地電位推定装置６は、外部防食電源４に対して最近接の測定点Ｐ１と最遠方の測定点Ｐｎで測定した管対地電位により、各測定点Ｐｉの管対地電位を推定するものであり、図２のブロック図に示すように、装置全体の処理を制御する中央処理装置１３と操作表示部１４とデータ入力部１５とデータ記憶部１６と回帰分析部１７と演算式作成部１８と演算式記憶部１９と管対地電位演算部２０及び出力部２１を有する。データ入力部１５は、記録装置１２に記憶した測定点Ｐｉ毎の管対地電位Ｖｐｉを入力するとともに、各電位検出部８ａ，８ｂで測定して送信部９ａ，９ｂから送られる外部防食電源４に対して最近接の測定点Ｐ１と最遠方の測定点Ｐｎにおける管対地電位を入力する。データ記憶部１６は入力した管対地電位を測定点毎に記憶するとともに各種データを記憶する。回帰分析部１７は、最遠方の測定点Ｐｎで測定した管対地電位Ｖｐｎと同時に記録装置１２で測定した測定点Ｐｉ毎の管対地電位Ｖｐｉとの回帰分析を行い、測定した管対地電位Ｖｐｎを基準にした管対地電位Ｖｐｉの式（１）に示す回帰式を作成する。演算式作成部１８は、回帰分析部１７で作成した各回帰式の傾きＡｉと切片Ｂｉと、測定点Ｐ１における基準電位である管対地電位Ｖｐ１と、測定点Ｐ１と測定点Ｐｎで測定する管対地電位Ｖｓｐ１、Ｖｓｐｎにより各測定点Ｐｉの管対地電位Ｖｓｐｉを演算する式（６）を作成する。演算式記憶部１９は、演算式作成部１８で作成した測定点Ｐｉ毎の管対地電位Ｖｓｐｉの演算式を記憶する。管対地電位演算部２０は、演算式記憶部１９に記憶した管対地電位Ｖｓｐｉの演算式と、測定点Ｐ１と測定点Ｐｎで測定した管対地電位Ｖｓｐ１、Ｖｓｐｎにより、測定点Ｐｉ毎の管対地電位Ｖｓｐｉを演算する。中央処理装置１３は、測定点Ｐ１と測定点Ｐｎで測定した管対地電位Ｖｓｐ１、Ｖｓｐｎと演算した測定点Ｐｉ毎の管対地電位Ｖｓｐｉを操作表示部１４に表示し、出力部２１から印字出力する。
【００１８】
この防食管理装置１で外部防食電源４に対して最近接の測定点Ｐ１と最遠方の測定点Ｐｎにおける管対地電位Ｖｓｐ１、Ｖｓｐｎを測定し、測定した管対地電位Ｖｓｐ１、Ｖｓｐｎにより、路面等に設定され、管対地電位を常時測定する計測装置を設置するのに困難な測定点Ｐｉ｛ｉ＝２〜（ｎ−１）｝毎の管対地電位Ｖｓｐｉを推定するときの処理を図４と図５のフローチャートを参照して説明する。
【００１９】
防食管理装置１の管対地電位推定装置６を初期設定するとき、図４のフローチャートに示すように、まず、外部防食電源４に対して最近接の測定点Ｐ１における管対地電位を電位検出部８ａで一定時間連続的に測定し、送信部９ａを介して管対地電位推定装置６に送るとともに、外部防食電源４に対して最遠方の測定点Ｐｎにおける管対地電位Ｖｐｎを電位検出部８ｂで連続的に測定し、送信部９ｂを介して管対地電位推定装置６に送る（ステップＳ１）。管対地電位推定装置６の中央処理装置１３は送られた測定点Ｐ１の管対地電位が基準電位に安定しているときの電位を測定点Ｐ１の初期管対地電位Ｖｐ１としてデータ記憶部１６に記憶させ、変動する測定点Ｐｎの管対地電位Ｖｐｎを、測定時間を基準としてデータ記憶部１６に記憶させる（ステップＳ２）。この測定点Ｐ１と測定点Ｐｎの管対地電位を測定しているとき、記録装置１２で最近接の測定点Ｐ１と最遠方の測定点Ｐｎの間に間隔を置いて複数の測定点Ｐｉ毎の管対地電位を一定時間、例えば１０分間ずつ測定して各測定点Ｐｉと測定時間毎に記録する（ステップＳ３）。この測定点Ｐ１と測定点Ｐｎ及び各測定点Ｐｉの管対地電位の測定が終了した後、記録装置１２に記憶した各測定点Ｐｉの管対地電位と測定時間を管対地電位推定装置６に入力してデータ記憶部１６に記憶させる（ステップＳ４）。
【００２０】
この状態で管対地電位推定装置６の中央処理装置１３は、回帰分析部１７の処理を開始させる。回帰分析部１７は、測定点Ｐｉ毎の管対地電位と、各管対地電位の測定時間に対応した測定点Ｐｎにおける管対地電位Ｖｐｎをデータ記憶部１６から読み出し、例えば図３に示すように、測定点Ｐｎの管対地電位Ｖｐｎと各測定点Ｐｉの管対地電位Ｖｐｉの分散図を作成し（ステップＳ５）、作成した分散図から、（１）式に示す測定点Ｐｎの管対地電位Ｖｐｎを基準にした各測定点Ｐｉの管対地電位Ｖｐｉの回帰式を作成する（ステップＳ６）。この各測定点Ｐｉの回帰式が作成されると、演算式作成部１８は、作成した回帰式から、式（６）に示す外部防食電源４の出力が変動したときの各測定点Ｐｉにおける管対地電位Ｖｓｐｉの演算式を作成し、測定点Ｐｉ毎に演算式記憶部１９に記憶させる（ステップＳ７）。この処理が終了すると、管対地電位推定装置６の初期設定が終了する。
【００２１】
管対地電位推定装置６の初期設定が終了すると、地中２に埋設された被覆鋼管３の電気防食を評価するとき、各測定点Ｐ１〜Ｐｎの管対地電位を検出する。この各測定点Ｐ１〜Ｐｎの管対地電位を検出するとき、図５のフローチャートに示すように、そのときの測定点Ｐ１における管対地電位Ｖｓｐ１と測定点Ｐｎの管対地電位Ｖｓｐｎを電位検出部８ａ，８ｂでそれぞれ測定し、管対地電位推定装置６のデータ記憶部１６に記憶する（ステップＳ１１）。この状態で管対地電位推定装置６の中央処理装置１３は管対地電位演算部２０の処理を開始させる。管対地電位演算部２０は測定した管対地電位Ｖｓｐ１と管対地電位Ｖｓｐｎとデータ記憶部１６に記憶した測定点Ｐ１の初期管対地電位Ｖｐ１及び演算式記憶部１９に記憶した各計測点Ｐｉの演算式により、各測定点Ｐｉにおけるそのときの管対地電位Ｖｓｐｉを順次演算してデータ記憶部１６に記憶する（ステップＳ１２）。この処理を各測定点Ｐｉの全てに対して行い（ステップＳ１３，Ｓ１２）、全ての測定点Ｐｉにおける演算処理が終了すると（ステップＳ１３）、中央処理装置１３は測定点Ｐ１と測定点Ｐｎ及び各測定点Ｐｉの管対地電位を操作表示部１４に表示し、出力部２１から記録紙等に出力する（ステップＳ１４）。防食管理装置１の管理者はこの表示を確認することにより、地中２に埋設された被覆鋼管３の各測定点の管対地電位が適切な範囲にあるかどうかを判定して、地中２に埋設された被覆鋼管３の防食状態を管理する。
【００２２】
前記説明では管対地電位推定装置６で測定点Ｐ１の管対地電位Ｖｓｐ１と測定点Ｐｎの管対地電位Ｖｓｐｎから測定点Ｐｉの管対地電位Ｖｓｐｉを推定する場合について説明したが、図６のブロック図に示すように、コンピュータで読み取り可能な外部記憶媒体３０に、図４と図５のフローチャートに示す処理プログラムをあらかじめ記憶させておいても良い。この外部記憶媒体３０を、入力装置３２とＣＰＵ３３とＲＯＭ３４とＲＡＭ３５と表示装置３６及び外部インタフェース３７を有するコンピュータ３１に接続し、外部記憶媒体３０に記憶した処理プログラムをインストールすることにより、他の設備を導入することなしに、測定点Ｐｉの管対地電位Ｖｓｐｉを推定することができる。
【図面の簡単な説明】
【００２３】
【図１】この発明の防食管理装置の構成を示すブロック図である。
【図２】管対地電位推定装置の構成を示すブロック図である。
【図３】測定点Ｐｎの管対地電位Ｖｐｎと測定点Ｐ（ｎ−１）の管対地電位Ｖｐ（ｎ−１）の分散図である。
【図４】管対地電位推定装置の初期設定処理を示すフローチャートである。
【図５】管対地電位の推定処理を示すフローチャートである。
【図６】他の管対地電位推定装置の構成を示すブロック図である。
【符号の説明】
【００２４】
１；防食管理装置、２；地中、３；被覆鋼管、４；外部防食電源、５；防食電極、
６；管対地電位推定装置、７；照合電極、８；電位検出部、９；送信部、
１０；電位検出部、１１；端末装置、１２；記録装置、１３；中央処理装置、
１４；操作表示部、１５；データ入力部、１６；データ記憶部、１７；回帰分析部、
１８；演算式作成部、１９；演算式記憶部、２０；管対地電位演算部、
２１；出力部、３０；外部記憶媒体、３１；コンピュータ、３２；入力装置、
３３；ＣＰＵ、３４；ＲＯＭ、３５；ＲＡＭ、３６；表示装置、
３７；外部インタフェース、Ｐ１〜Ｐｎ；測定点。
【図１】
2006249474.tif 000003
【図２】
2006249474.tif 000004
【図３】
2006249474.tif 000005
【図４】
2006249474.tif 000006
【図５】
2006249474.tif 000007
【図６】
2006249474.tif 000008